(57)【特許請求の範囲】
【請求項１】
洗浄水が導入されると共に、前記洗浄水に薬液を添加して混合することで洗浄液を生成する薬液希釈混合タンクと、前記薬液希釈混合タンクから、洗浄液が送られて洗浄液を一時的に貯留する洗浄液貯留タンクと、当該洗浄液貯留タンク内からの洗浄液を高圧に加圧して送出する高圧ポンプと、前記高圧ポンプを回転駆動する内燃機関によるエンジンと、前記エンジンの回転数制御を実行するエンジンコントローラとを有し、前記高圧ポンプにより加圧された高圧洗浄液を吐出する吐出路と、前記高圧ポンプからの高圧洗浄液のうちの余水分を、前記洗浄液貯留タンク内に戻す余水路とが備えられた洗浄液供給装置であって、
前記高圧ポンプから高圧洗浄液の吐出路に進む洗浄液の流量の大小に応じて、前記エンジンコントローラは、前記エンジンの回転数を上昇もしくは下降させる制御を実行するように構成され、
前記洗浄液貯留タンク内の洗浄液の温度を測定する液温センサーにより、所定値以上の液温上昇を検出した場合において、前記薬液希釈混合タンク内に導入する洗浄水の量を制御する給水弁による給水量を増加させて、前記洗浄液貯留タンク内の洗浄液をブロー水として排出できるように構成したことを特徴とする洗浄液供給装置。
【請求項３】
前記薬液希釈混合タンクには、当該混合タンク内における洗浄液のｐＨ値を測定するｐＨセンサーが配置され、当該ｐＨセンサーにより得られるｐＨ値に基づいて、前記薬液希釈混合タンク内に添加される前記薬液の添加量が制御されるように構成したことを特徴とする請求項１に記載された洗浄液供給装置。
【請求項４】
前記洗浄液貯留タンク内の洗浄液の液量を検出するフロートセンサーが具備され、当該フロートセンサーによる液量の検出情報に基づいて、前記給水弁を制御することで前記薬液希釈混合タンク内に供給する洗浄水の量を制御するように構成され、前記フロートセンサーによる液量の検出値が所定値に至った場合において、前記給水弁による前記薬液希釈混合タンク内への給水を停止させる制御が実行されるように構成したことを特徴とする請求項１または請求項３に記載された洗浄液供給装置。
【請求項６】
前記フロートセンサーによる液量の検出情報に基づく前記給水弁による給水を停止させる制御に対して、前記液温センサーによる液温の検出情報に基づく前記給水弁による給水量を増加させる制御が優先して実行されるように構成したことを特徴とする請求項４に記載された洗浄液供給装置。
【発明の詳細な説明】
【技術分野】
【０００１】
この発明は、水道水もしくは井戸水等を利用し、除菌および消臭効果を高めるために薬液を添加して洗浄液とし、これを高圧ポンプで加圧して送出することができる洗浄液供給装置に関する。
【背景技術】
【０００２】
近年、都市部やその近郊においては、土地の有効活用の観点から高層ビル形式の集合住宅が多数建設されている。このビル形式の集合住宅から排出される生活排水（汚水）は、個別の宅内に敷設された専用排水管からビル内部に設けられた共用排水管を介して外部の横引き管に排出されるように構成され、これにより良好な生活環境が維持されるようになされている。【０００３】
ところで、前記した生活排水には多量の残滓や油脂などが含まれるために、これが排水管の管壁に固形物となって強固に付着し、病原菌の発生や悪臭の放出などの原因となって生活環境を著しく悪化させる。また時には管壁に付着した固形物等が排水管を詰まらせる問題も発生するため、一定期間毎に専用排水管ならびに共用排水管の清掃が必要になる。【０００４】
前記したように排水管内に付着した固形物を除去するために、種々の強力な洗浄方法が提案されており、その一つに高圧水噴射洗浄法が存在する。
この高圧水噴射洗浄法は、高圧水噴射ノズルを先端部に取り付けた屈曲可能なホースを排水管内に挿入し、高圧ポンプによって高圧化した洗浄水をホースに供給し、前記ノズルより洗浄水を噴射させながら排水管内を前進させる操作がなされる。  これにより、高圧水噴射ノズルからの洗浄水の噴射圧力によって排水管内に付着した固形物等を解砕または剥離除去することができる。【０００５】
前記した排水管内の高圧水噴射洗浄法およびこれに利用される高圧水噴射ノズルなどについては、本件出願人からもすでに提案がなされており、これは特許文献１および特許文献２などに開示されている。【０００６】
一方、昨今においては前記した排水管の洗浄に利用される洗浄水についても、除菌および消臭効果を高めるために薬液を添加する提案がなされており、例えば次亜塩素酸ソーダなどの無機アルカリ製剤や、これに加えて塩酸などの無機酸を添加して洗浄液として利用することも提案されている。これは特許文献３などに開示されている。
【先行技術文献】
【特許文献】
【０００７】
【特許文献１】特開２００２−２７５９８４号公報
【特許文献２】特開２００８−１６３６４４号公報
【特許文献３】特開２０１０−１５０３１９号公報
【０００８】
ところで前記した洗浄液は、洗浄液供給装置に備えられた洗浄液貯留タンク内に一時的に貯留され、内燃機関によるエンジンの動力により駆動される高圧ポンプにより加圧されて噴射ノズルから吐出されるように構成されており、この洗浄液供給装置は例えば３本程度の噴射ノズルに対して、同時に洗浄液を供給できる能力に設定されている。この場合、それぞれの作業の進行度合いに応じて、３本の噴射ノズルから同時に洗浄液が吐出される場合もあり、いずれの噴射ノズルからも洗浄液が吐出されない場合も生ずる。【０００９】
前記したように、それぞれの噴射ノズルからの洗浄液の吐出状況や、各噴射ノズルにおける洗浄液の吐出量の相異などにより、高圧ポンプ側から送出される高圧洗浄液の量は刻々と変化する。しかも、高圧ポンプにおいては洗浄液の吐出量の如何にかかわらず、ある程度の洗浄液の吐出圧力を維持する必要がある。
したがって洗浄液送出ユニットにおいては、一般的に高圧ポンプにより加圧された洗浄液の余水分が、前記貯留タンク内に戻されるように余水路の配管が形成されている。【００１０】
それ故、前記した洗浄液送出ユニットの稼働中において、少ない数の噴射ノズルから洗浄液が吐出される場合、もしくはいずれの噴射ノズルからも洗浄液が吐出されない場合においては、高圧ポンプにより加圧された洗浄液の大部分もしくは全量が、前記した洗浄液貯留タンク内に戻されることになる。すなわち、洗浄液は前記した余水路の配管を介して高圧ポンプと洗浄液貯留タンクとの間を循環することになる。【００１１】
この場合、前記洗浄液は高圧ポンプ内を通過するに際し、圧縮により高圧のエネルギーを受けることになるため、その温度が上昇する。この温度上昇した洗浄液が前記した噴射ノズルより常に吐出されていれば問題は生じないものの、前記したように余水路の配管を介して高圧ポンプから洗浄液貯留タンク内に戻る洗浄液の量が多くなると、洗浄液貯留タンク内の洗浄液の温度が蓄熱されて上昇する。【００１２】
このように洗浄液の温度が上昇した場合には、洗浄作業中に作業員が不用意に洗浄液を受けて火傷を負うなどの危険な問題も招来される。また、前記したように除菌および消臭効果を高めるために例えば次亜塩素酸ソーダや塩酸などの薬液を水道水に添加して洗浄液として利用する場合には、洗浄液の温度が上昇するにしたがって、塩素ガス等が発生度合いが増加し、作業環境を悪化させるなどの問題も招来される。
【発明の概要】
【発明が解決しようとする課題】
【００１３】
この発明は、前記した問題点に着目してなされたものであり、洗浄液を高圧ポンプによって送出するようになされた洗浄液送出ユニットにおいて、噴射ノズルからの洗浄液の吐出量にかかわらず、前記した余水路の配管を介して洗浄液貯留タンクに戻る洗浄液の量を極力少なくする制御手段を採用することで、洗浄液貯留タンク内の洗浄液の温度上昇を抑制することができる洗浄液供給装置を提供することを課題とするものである。【００１４】
また、この発明は前記した作用効果に加え、洗浄水に薬液を添加することで洗浄液を生成する洗浄液生成ユニットにおいて、希釈混合タンクを利用することで薬液の添加量の正確な管理が保障され、薬液の濃度が安定した洗浄水を得ることができる洗浄液供給装置を提供することを課題とするものである。
【課題を解決するための手段】
【００１５】
前記した課題を解決するためになされたこの発明に係る洗浄液供給装置は、洗浄液を一時的に貯留する洗浄液貯留タンクと、当該洗浄液貯留タンク内からの洗浄液を高圧に加圧して送出する高圧ポンプと、前記高圧ポンプを回転駆動する内燃機関によるエンジンと、前記エンジンの回転数制御を実行するエンジンコントローラとを有し、前記高圧ポンプにより加圧された高圧洗浄液を吐出する吐出路と、前記高圧ポンプからの高圧洗浄液のうちの余水分を、前記洗浄液貯留タンク内に戻す余水路とが備えられた洗浄液供給装置であって、前記高圧ポンプから高圧洗浄液の吐出路に進む洗浄液の流量の大小に応じて、前記エンジンコントローラは、前記エンジンの回転数を上昇もしくは下降させる制御を実行することを特徴とする。【００１６】
この場合、洗浄水が導入されると共に、前記洗浄水に薬液を添加して混合することで洗浄液を生成する薬液希釈混合タンクが備えられ、前記薬液希釈混合タンクから、前記洗浄液貯留タンクに対して洗浄液が送られるように構成されていることが望ましい。【００１７】
加えて、前記薬液希釈混合タンクには、当該混合タンク内における洗浄液のｐＨ値を測定するｐＨセンサーが配置され、当該ｐＨセンサーにより得られるｐＨ値に基づいて、前記薬液希釈混合タンク内に添加される前記薬液の添加量が制御されるように構成される。【００１８】
また好ましい実施の形態においては、前記洗浄液貯留タンク内の洗浄液の液量を検出するフロートセンサーと、当該フロートセンサーによる液量の検出情報に基づいて、前記薬液希釈混合タンク内に供給する洗浄水の量を制御する給水弁とが具備され、前記フロートセンサーによる液量の検出値が所定値に至った場合において、前記給水弁による前記薬液希釈混合タンク内への給水を停止させる制御が実行されるように構成される。【００１９】
さらに好ましくは、前記洗浄液貯留タンク内の洗浄液の温度を測定する液温センサーが具備され、当該液温センサーにより所定値以上の液温上昇を検出した場合において、前記給水弁による前記薬液希釈混合タンク内への給水量を増加させて、前記洗浄液貯留タンク内の洗浄液をブロー水として排出できるように構成される。【００２０】
この場合、前記フロートセンサーによる液量の検出情報に基づく前記給水弁による給水を停止させる制御に対して、前記液温センサーによる液温の検出情報に基づく前記給水弁による給水量を増加させる制御が優先して実行されるように構成される。
【発明の効果】
【００２１】
この発明に係る洗浄液供給装置によると、高圧ポンプから高圧洗浄液の吐出路に進む洗浄液の流量の大小に応じて、高圧ポンプを回転駆動するエンジンの回転数を上昇もしくは下降させる制御を実行するように構成されているので、前記高圧ポンプから余水路を介して洗浄液貯留タンク内に戻す余水分の量を限り無く少なくすることができる。【００２２】
これによれば、高圧ポンプ内で加圧され、液温が上昇した状態の余水分が洗浄液貯留タンク内に戻ることにより、前記貯留タンク内の洗浄液が温度上昇するのを効果的に抑えることができる。
したがって、貯留タンク内の洗浄液の温度の上昇により、作業員に及ぼす危険な問題を解消することができ、また、例えば薬液が添加された洗浄液が温度上昇することによる塩素ガス等を発生するなどの問題も解消することができる。【００２３】
また、この発明に係る洗浄液供給装置によると、薬液希釈混合タンクが備えられ、この薬液希釈混合タンク内において例えば水道などからの洗浄水に薬液が添加されて洗浄液が生成され、この洗浄液が前記した洗浄液貯留タンクに送られるようになされる。
そして、前記薬液希釈混合タンク内における洗浄液のｐＨ値を測定するｐＨセンサーが配置され、当該ｐＨセンサーにより得られるｐＨ値に基づいて、前記薬液希釈混合タンク内に添加される前記薬液の添加量が制御されるように作用する。したがって、薬液の添加量の正確な管理が保障され、薬液の濃度が安定した洗浄水を得ることが可能となる。【００２４】
さらに、前記した洗浄液貯留タンク内の洗浄液の液量を検出するフロートセンサーと、洗浄液の温度を測定する液温センサーとが具備され、前記フロートセンサーを利用して、前記洗浄液貯留タンク内に注入される洗浄液の液面が管理される。これにより、適切な節水効果を果たすことができる。【００２５】
また、前記液温センサーは、洗浄液貯留タンク内の洗浄液の温度を監視し、洗浄液が所定以上に昇温した時に、前記した水道などからの洗浄水の注入量を増加させて洗浄液貯留タンク内の洗浄液をブロー水として積極的に排出できるよう作用する。この動作により、洗浄液貯留タンク内の洗浄液の温度を確実に低下させることが可能となり、前記した高圧ポンプを駆動するエンジンの回転数制御により貯留タンク内の洗浄液の温度管理が不調な場合においても、前記したブロー水の排出動作により安全性を確保することができる。
【図面の簡単な説明】
【００２６】
【図１】この発明に係る洗浄液供給装置において、主に洗浄液生成ユニットの構成を示した模式図である。
【図２】同じく洗浄液供給装置において、主に洗浄液送出ユニットの構成を示した模式図である。
【図３】この発明に係る洗浄液供給装置を収容した筐体を車輛に搭載した例を示す側面図である。
【図４】同じく筐体を車輛の後ろ側から見た状態の背面図である。
【図５】車輛に載置された筐体を上面から見た状態の透視図である。
【図６】同じく筐体を背面から見た状態の透視図である。
【発明を実施するための形態】
【００２７】
以下、この発明にかかる洗浄液供給装置について、図に示す実施の形態に基づいて説明する。この洗浄液供給装置は大別して図１に示す洗浄液生成ユニットＵ１と、図２に示す洗浄液送出ユニットＵ２とにより構成されており、図１および図２において、符号Ｔ２で示す洗浄液貯留タンクが共通に図示されている。
すなわち、洗浄液貯留タンクＴ２よりも上流側が洗浄液生成ユニットＵ１を構成しており、洗浄液貯留タンクＴ２よりも下流側が洗浄液送出ユニットＵ２を構成している。
【００２８】
図１に示す洗浄液生成ユニットは、例えば水道から供給される洗浄水に薬液を添加して洗浄液を生成し、この洗浄液を前記した洗浄液貯留タンクＵ２に送る機能を果たすものである。
図１において符号１は操作レバーを備えた水道栓を示し、洗浄液供給装置が稼働中においては、前記水道栓１は開放状態になされる。この水道栓１にはモーター等のアクチュエータによって開閉制御される電磁弁２が接続されており、この電磁弁２の下流側には流量センサー３が接続されている。この流量センサー３には操作レバーを備えた水量調節バルブ４が接続され、当該水量調節バルブ４を経た水道からの洗浄水は、薬液希釈混合タンクＴ１に供給されるように構成されている。
【００２９】
一方、洗浄液生成ユニットＵ１には、前記薬液希釈混合タンクＴ１に供給された洗浄水に対して添加されて希釈される薬液の貯留タンク６，７が配置されている。  この薬液貯留タンク６，７には、一例として次亜塩素酸ソーダおよび塩酸がそれぞれ貯留されており、当該貯留タンク６，７に貯留された前記各薬液は、薬液送出ポンプ８，９の駆動により前記薬液希釈混合タンクＴ１内に添加され、前記水道から供給される洗浄水によって希釈されて洗浄液として生成される。
そして、この薬液希釈混合タンクＴ１内において生成された洗浄液は、前記した洗浄液貯留タンクＴ２に対して送られるように構成されている。
【００３０】
前記薬液希釈混合タンクＴ１には、ｐＨセンサー１１が配置されており、このｐＨセンサー１１によって、薬液希釈混合タンクＴ１内における洗浄液のｐＨ値が測定される。
この実施の形態においては、混合タンクＴ１内における洗浄液のｐＨ値は６．５となるように管理される。すなわち、前記ｐＨセンサー１１による測定値はｐＨコントローラ１２に伝送され、このｐＨコントローラ１２よりリレー装置１３に対して制御信号が伝送されるように構成されている。
【００３１】
前記リレー装置１３には、前記した流量センサー３からの流量検出信号も供給されるように構成されており、前記リレー装置１３は、前記ｐＨコントローラ１２からの制御信号および流量センサー３からの流量検出信号受けて、前記薬液送出ポンプ８，９のそれぞれに対応して配備されたポンプ駆動電源１４，１５からの駆動電流をオンまたはオフ制御する。
【００３２】
これにより前記薬液送出ポンプ８，９はそれぞれ個別にかつ間欠的に動作して、薬液貯留タンク６，７にそれぞれ貯留された薬液は、前記薬液希釈混合タンクＴ１内に適宜添加される。これにより、前記タンクＴ１内の洗浄液のｐＨ値が前記管理された値となるように調整される。
したがって、前記薬液希釈混合タンクＴ１から洗浄液貯留タンクＴ２に移される洗浄液は、ｐＨ値の正確な管理が保障され、薬液の濃度が安定した洗浄水として送られることになる。
【００３３】
前記洗浄液貯留タンクＴ２には、当該洗浄液貯留タンクＴ２内の洗浄液の液量を検出するフロートセンサー１７が配置されている。このフロートセンサー１７は、洗浄液貯留タンクＴ２に貯留された洗浄液が満タンもしくはこれに近い状態となった時に、節水コントローラ１９に検知信号を送るように動作する。
前記フロートセンサー１７から検知信号を受ける節水コントローラ１９は、給水弁としての前記した電磁弁２に制御信号を送り、電磁弁２を閉塞して前記薬液希釈混合タンクＴ１内への給水を停止させる制御を実行する。
【００３４】
これにより、薬液希釈混合タンクＴ１から洗浄液貯留タンクＴ２への洗浄液の供給が停止される。すなわち、前記フロートセンサー１７および節水コントローラ１９は、洗浄液貯留タンクＴ２に貯留される洗浄液の量を適正に管理し、薬液希釈混合タンクＴ１に供給される水道からの洗浄水を節水することに寄与できる。
【００３５】
前記洗浄液貯留タンクＴ２には、当該洗浄液貯留タンクＴ２内の洗浄液の温度を測定する液温センサー１８がさらに備えられ、この液温センサー１８による測定値は、前記した節水コントローラ１９に送られるように構成されている。
すなわち、前記液温センサー１８が所定値以上の液温の上昇を検知した場合においては、前記節水コントローラ１９は、給水弁としての前記した電磁弁２に制御信号を送り、電磁弁２を開放して前記薬液希釈混合タンクＴ１内への給水量を増加させる制御を実行する。
【００３６】
これにより、薬液希釈混合タンクＴ１から洗浄液貯留タンクＴ２に送られる洗浄液の量が増加し、洗浄液貯留タンクＴ２内の洗浄液はブロー水２０として排出される。したがって、洗浄液貯留タンクＴ２内の洗浄液の温度は低下し、前記液温センサー１８が所定値までの温度低下を検知することにより、給水弁としての前記電磁弁２を閉塞または通水量を絞る制御がなされる。
【００３７】
なお、洗浄液貯留タンクＴ２内の洗浄液の温度上昇は、後述する洗浄液送出ユニットＵ２において、高圧ポンプにより昇温された洗浄液が余水路を介して多量に洗浄液貯留タンクＴ２内に戻ることに起因するものである。
後述する洗浄液送出ユニットＵ２においては、前記した洗浄液貯留タンクＴ２内の洗浄液の温度上昇を抑える手段が施されているが、洗浄液貯留タンクＴ２内の洗浄液をブロー水２０として排出することで、洗浄液の温度上昇を抑える手段は非常手段として利用される。
【００３８】
なお、前記フロートセンサー１７による液量の検出情報に基づく前記給水弁（電磁弁２）による給水を停止させる制御に対して、前記液温センサー１８による液温上昇の検出に基づく前記給水弁（電磁弁２）の開放により給水量を増加させる制御が優先して実行されるように構成されている。
【００３９】
次に図２に示す洗浄液送出ユニットＵ２は、前記した洗浄液貯留タンクＴ２内の洗浄液を高圧ポンプを利用して高圧に加圧して送出する機能を果たすものである。  図２において符号２２は、前記した高圧ポンプを示しており、この高圧ポンプ２２は、例えばディーゼルエンジンなどの内燃機関によるエンジン２３の回転駆動力を受けて駆動される。
【００４０】
この高圧ポンプ２２には、前記した洗浄液貯留タンクＴ２内の洗浄液を吸入する吸入路２２ａと、高圧ポンプ２２により加圧された高圧洗浄液を吐出する吐出路２２ｂと、高圧ポンプ２２からの高圧洗浄液のうちの余水分を、前記洗浄液貯留タンクＴ２内に戻す余水路２２ｃとが備えられている。
【００４１】
前記高圧ポンプ２２には、高圧ポンプ２２内の加圧力を測定する圧力センサー２４が備えられ、前記エンジン２３には、当該エンジン２３の回転数を測定する回転センサー２５が備えられている。
そして、前記圧力センサー２４および回転センサー２５の出力信号は、エンジンコントローラ２７に供給されるように構成されている。
【００４２】
一方、前記高圧ポンプ２２における高圧洗浄液を吐出する吐出路２２ｂには、フロースイッチ２８が配置され、このフロースイッチ２８を介して操作レバーを備えた吐出バルブ２９が接続されている。そして前記吐出バルブ２９には、屈曲可能なホースを介して洗浄液の噴射ノズル（図示せず）が接続される。
前記フロースイッチ２８は、前記吐出路２２ｂに洗浄液が流れているか否かを検出する機能を備え、その情報は前記したエンジンコントローラ２７に供給されるように構成されている。
【００４３】
なお、図２においてはフロースイッチ２８に対して、１つの吐出バルブ２９が接続された状態が示されているが、洗浄液の噴射ノズルを複数本用いる場合には、前記フロースイッチ２８の後に、それぞれの噴射ノズルに対応した吐出バルブ２９が並列状態に接続されることになる。
【００４４】
また、前記高圧ポンプ２２からの高圧洗浄液のうちの余水分を、前記洗浄液貯留タンクＴ２内に戻す余水路２２ｃには、モーター等のアクチュエータによって開閉制御される電磁弁３１が接続され、この電磁弁３１と並列に調圧弁３２が接続されている。
【００４５】
前記エンジンコントローラ２７には、前記したとおり圧力センサー２４、回転センサー２５、フロースイッチ２８からの検知情報が供給されるように構成されており、このエンジンコントローラ２７は、前記エンジン２３に付設されてエンジン２３の回転数を制御するスロットル制御部３３に対して制御信号を供給するように構成されている。またエンジンコントローラ２７は、前記余水路２２ｃに配置された電磁弁３１に対しても制御信号を供給するようになされる。
【００４６】
以上の構成を備えた図２に示す洗浄液送出ユニットＵ２においては、高圧洗浄液の吐出路２２ｂに配置された前記フロースイッチ２８からの検出情報、すなわち吐出路２２ｂにおける洗浄液の流れの有無についての情報がエンジンコントローラ２７に供給される。
前記吐出路２２ｂにおいて洗浄液の流れがない場合は、高圧洗浄液が利用されていない状態であり、この場合には前記エンジンコントローラ２７は、スロットル制御部３３に対して、前記エンジン２３がアイドリング状態となるように制御する信号を送出する。
【００４７】
同時に前記エンジンコントローラ２７より、前記電磁弁３１に対して開弁状態に制御する信号を送出する。したがって、余水路２２ｃを介して洗浄液貯留タンクＴ２に戻る洗浄液には、高圧ポンプ２２による圧力は加わらず、貯留タンクＴ２に戻る洗浄液の液温は上昇しない。
【００４８】
一方、高圧洗浄液が利用され、前記フロースイッチ２８が吐出路２２ｂにおける洗浄液の流れを検知した場合には、前記エンジンコントローラ２７はスロットル制御部３３に対して、前記エンジン２３の回転を上昇させる指令信号を送出する。
この場合、洗浄液の吐出圧力が前記エンジンコントローラ２７において手動で設定することができ、手動で設定された例えば２０ＭＰａの洗浄液の吐出圧力となるように、エンジン２３の回転数が制御される。
【００４９】
これは、前記高圧ポンプ２２に備えられた圧力センサー２４からの圧力情報が、前記エンジンコントローラ２７にフィードバックされることで、設定された前記吐出圧力となるようにエンジン２３の回転数制御が行われる。
同時に前記エンジンコントローラ２７より、前記電磁弁３１に対して、これを閉弁状態に制御する信号が送出され、前記高圧ポンプ２２からの余水分は、調圧弁３２および余水路２２ｃを介して、前記貯留タンクＴ２内に戻されることになる。
【００５０】
ここで、洗浄作業に利用される高圧水噴射ノズルの利用数が、例えば増加した場合には、前記吐出路２２ｂにおける洗浄液の流量が増加し、前記高圧ポンプ２２に備えられた圧力センサー２４による圧力計測値は低下することになる。
前記圧力センサー２４による圧力計測値の低下は、前記したとおりエンジンコントローラ２７にフィードバックされ、洗浄液の吐出圧力が予め設定された値となるように前記エンジン２３の回転数を上昇させる制御が実行される。
【００５１】
また、前記とは逆に高圧水噴射ノズルの利用数が、少なくなった場合には、前記高圧ポンプ２２に備えられた圧力センサー２４による圧力計測値は上昇することになり、この圧力計測値はエンジンコントローラ２７にフィードバックされ、洗浄液の吐出圧力が予め設定された値となるように前記エンジン２３の回転数を下降させる制御が実行される。
【００５２】
なお、前記エンジン２３に備えられた回転センサー２５の出力信号は、前記したとおりエンジンコントローラ２７に供給される。これは幾つかの要因により、前記エンジン２３が例えば設定されたアイドリング状態よりも低下する状態に至った場合には、前記スロットル制御部３３にアイドリング状態を保つ制御信号を送るように作用する。
【００５３】
また、幾つかの要因により、前記エンジン２３が例えば設定された回転数以上に達する場合には、前記スロットル制御部３３にエンジン回転数を低下させる制御信号を送るように作用する。これにより、前記エンジン２３の回転数制御の安定性を保障することができる。
【００５４】
斯くして、前記したように高圧ポンプ２３から前記吐出路２２ｂに進む洗浄液の流量の大小を前記圧力センサー２４により検知し、この洗浄液の流量に応じて、前記エンジン２３の回転数を上昇もしくは下降させる制御を実行することで、高圧ポンプ２２から前記した余水路２２ｃを介して洗浄液貯留タンクＴ２に戻る洗浄液の量を限り無く少なく設定することが可能となる。
【００５５】
したがって、前記した洗浄液供給装置の構成によれば、高圧ポンプ２２により高圧のエネルギーを受けて蓄熱された洗浄液が、余水路２２ｃを介して洗浄液貯留タンクＴ２に戻る度合いを少なくさせることができるので、洗浄液貯留タンク内の洗浄液の温度上昇を抑制することができる。
これにより、高圧水噴射ノズルを用いた作業の安全性を確保することができるなど、前記した発明の効果の欄に記載した独自の作用効果を得ることができる。
【００５６】
以上説明した洗浄液供給装置の実施の形態においては、薬液希釈混合タンクＴ１を備え、洗浄水に薬液を添加してなる洗浄液を利用するようにしているが、これは薬液を使用せずに水道などからの洗浄水をそのまま利用して、図２に示す洗浄液送出ユニットＵ２を利用して高圧洗浄液として吐出するように構成しても良い。
このような構成においても、洗浄液貯留タンクＴ２内の洗浄液の温度上昇を効果的に抑制することができるという技術的な課題を達成することができる。
【００５７】
図３および図４は、前記した洗浄液供給装置を搭載した車輛の一例を示したものである。この車輛４１の荷台部分には、ボックス型の筐体４２が搭載され、図１および図２に示す洗浄液供給装置が、この筐体４２内に収容されている。
図３に示すように、前記車輛４１の荷台部分に搭載された筐体４２の左側面における前方には、水平方向に両開きとなるように軸支された扉４３が取り付けられ、その後方には水平方向に片開きとなるように軸支された扉４４が取り付けられている。また筐体４１の後側の面には、図４に示すように上部が軸支された跳ね上げ扉４５が取り付けられている。
【００５８】
図５は、前記車輛４１の荷台に載置された筐体４２を上面から見た状態の透視図であり、図５における左側が前方（運転席側）となる。
前記筐体４２は中央の隔壁４２ａによって前室と後室に分けられており、前室内の略中央部には前記したエンジン２３が搭載され、これに隣接して前記した高圧ポンプ２２が配置されている。前記前室の前方は、前記エンジン２３に付帯するラジエターなどが収容される排風スペース４６になされており、図には示されていないが、前記排風スペース４６が施された筐体４２の天板には、排気口などが設けられている。
【００５９】
前記筐体４２の後室内には、前記した洗浄液貯留タンクＴ２が配置され、図６に示されているように、前記貯留タンクＴ２の上に、図１に示した洗浄液生成ユニットＵ１のほとんどの機能が搭載されている。
また、洗浄液供給装置の操作盤４７が背面に向かって配置されており、この操作盤４７は、図４に示した扉４５を跳ね上げた状態で操作される。
なお符号４８は、洗浄液供給装置と共に使用される機材等を収納するスペースになされている。
【符号の説明】
【００６０】
１          水道栓
２          電磁弁（給水弁）
３          流量センサー
４          水量調節バルブ
６，７      薬液貯留タンク
８，９      薬液送出ポンプ
１１        ｐＨセンサー
１２        ｐＨコントローラ
１３        リレー装置
１４，１５  ポンプ駆動電源
１７        フロートセンサー
１８        液温センサー
１９        節水コントローラ
２０        ブロー水
２２        高圧ポンプ
２２ａ      吸入路
２２ｂ      吐出路
２２ｃ      余水路
２３        エンジン
２４        圧力センサー
２５        回転センサー
２７        エンジンコントローラ
２８        フロースイッチ
２９        吐出バルブ
３１        電磁弁
３２        調圧弁
３３        スロットル制御部
Ｔ１        薬液希釈混合タンク
Ｔ２        洗浄液貯留タンク
Ｕ１        洗浄液生成ユニット
Ｕ２        洗浄液送出ユニット
【図１】
0005388151.tif 000002
【図２】
0005388151.tif 000003
【図３】
0005388151.tif 000004
【図４】
0005388151.tif 000005
【図５】
0005388151.tif 000006
【図６】
0005388151.tif 000007